(57)【要約】【課題】  携帯用物入れを始めとした身の回り品の装飾方法として、従来からの方法とは異なった斬新かつ意外性、独自性、創造性の高い方法を提供することである。【解決の手段】  片方が透明な２枚のシート間に形成された空間あるいは透明チューブに、実在する物品そのものやそのイミテーション品あるいはレプリカ品あるいは縮小レプリカ品が封入格納されたものを、携帯用物入れを始めとした身の回り品の装飾手段とすることである。【選択図】図３
2006320662.tif 000002
【特許請求の範囲】
【請求項１】
２枚のシート材が重ねあわされ、該２枚のシート材の間に小物物品を少なくとも一つ以上、分散して封入格納できるように余裕を持った配置構造であって、かつ、少なくとも一方の側のシート材を、重ねあわされた前記２枚のシート材の中間側を透視することができる素材とし、前記２枚のシート材が相対する部分の少なくとも任意の１つの領域を囲むように、相互に帯状に結合し、該結合された部分で囲まれた該２枚のシート間にできる空間に、小物物品が封入格納されている状態の構成品を、装飾手段として用いたことを特徴とする物品の装飾方法、ならびに前記装飾手段を用いて装飾したことを特徴とする物品。
【請求項２】
２枚のシート材が重ねあわされ、該２枚のシート材の間に小物物品を少なくとも一つ以上、分散して封入格納できるように余裕を持った配置構造であって、かつ、少なくとも一方の側のシート材を、重ねあわされた前記２枚のシート材の中間側を透視することができる素材とし、前記２枚のシート材が相対する部分を碁盤の目状位置で相互に帯状に結合し、該結合された部分で囲まれた該２枚のシート間にできる複数の空間それぞれに、小物物品が封入格納されている状態の構成品を、装飾手段として用いたことを特徴とする物品の装飾方法、ならびに前記装飾手段を用いて装飾したことを特徴とする物品。
【請求項３】
内部を透視できるチューブに小物物品が複数個数珠繋ぎ状に封入格納されている状態の構成品を、装飾手段として用いたことを特徴とする物品の装飾方法、ならびに前記装飾手段を用いて装飾したことを特徴とする物品。
【請求項４】
封入格納する小物物品が温度特性、耐候性、経時的な耐久性の安定した物品で、なおかつ、実物が小物の場合は実物を、さもない場合はイミテーション品あるいはレプリカ品あるいは縮小レプリカ品としたことを特徴とする請求項１、請求項２、請求項３の物品の装飾方法、ならびに物品。
【請求項５】
前記装飾手段により装飾される物品が携帯用物入れ、被服やベルトなどの身の回り品あるいは小物類である請求項１、請求項２、請求項３、請求項４の物品。
【発明の詳細な説明】
【技術分野】
【０００１】  本発明は携帯用物入れ（バッグ、ハンドバッグ、かばん、ショルダーバッグ、ポシェットや手提げ袋などの物を中に入れて携行するものであり、以降においては単に、携帯用物入れと略す）を始めとし、被服やベルトなどの身の回り品あるいは小物類などの物品の装飾方法、ならびに該装飾方法を用いて装飾したことを特徴とする物品に関する（以降においては、携帯用物入れについて説明する）。
【背景技術】
【０００２】  従来の携帯用物入れの装飾方法は、構成する素材に模様をプリントしたりあるいは染色したりあるいは模様を織り込んだりあるいは刻印したり、あるいはパッチワークなどによるのが一般的であった。【０００３】  前記装飾方法の中でより装飾的なものとしては、手提げ袋本体内面に柄物などの布地よりなる裏地を添着し、該裏地により袋本体内面を覆装すると共に、上部において該裏地を袋本体の表面に出し、折り返し止着し、かつ、その端縁にレースなどの装飾材を取り付けた形態のものがあった。（例えば、特許文献１参照）【０００４】  あるいは、バッグの正面にショーケース（上部が開いた透明体でできた複数の収納ポケット）を設け、装飾を兼ねて小物を入れて使用できるようにしたものがあった。（例えば、意匠文献２参照）【０００５】  あるいは、バッグの周りに装飾用の動物像を複数個取り付けたものがあった。（例えば、意匠文献３参照）【０００６】
【特許文献１】特許第１９６２０２３３号  公報
【意匠文献２】
意匠登録第１１９５１６４号  公報
【意匠文献３】
意匠登録第９６４８８５号  公報
【発明の開示】
【発明が解決しようとする課題】
【０００７】  以上に述べたごとく、携帯用物入れを単に物入れとしての機能を持たせるだけでなく、特許第１９６２０２３３号公報のように柄物などの布地を用い、さらにレースを取り付けて装飾性を向上しようとしたり、意匠登録第１１９５１６４号公報のようにバッグの正面にショーケースを付けて、装飾を兼ねて小物を入れて使用できるようにしたり、意匠登録第９６４８８５号公報のようにバッグの周りに装飾用の動物像を付けたりして、装飾性を高める試みがなされているが、いずれも意外性、斬新性、独自性、創造性に欠けるものであった。
【課題を解決するための手段】
【０００８】  本発明においては、２枚のシート材が重ねあわされ、該２枚のシート材の間に小物物品を少なくとも一つ以上、分散して封入格納できるように余裕を持った配置構造であって、かつ、少なくとも一方の側のシート材を、重ねあわされた前記２枚のシート材の中間側を透視することができる素材とし、前記２枚のシート材が相対する部分の少なくとも任意の１つの領域を囲むように、相互に帯状に結合し、該結合された部分で囲まれた該２枚のシート間にできる空間に、小物物品が封入格納されていること、あるいは内部を透視できるチューブに小物物品が複数個数珠繋ぎ状に封入格納されていることにより得られた構成品を、装飾手段として用いて携帯用物入れの装飾方法とし、該小物物品としては実在する物そのものやそのイミテーション品あるいはレプリカ品あるいは縮小レプリカ品として、携帯用物入れの装飾手段とすることである。
【発明の効果】
【０００９】  実物やイミテーション品あるいはレプリカ品あるいは縮小レプリカ品を透明なシート材を用いて封入格納することにより、外部から前記物品が立体的に透視できるので多様性のある、従来のデザインの概念とはまったく異なった、斬新で意外性、新規性のあるデザインの携帯用物入れを実現できるので、ＴＰＯにあわせて遊び心のある装いを演出できるという効果が得られ、それを所持して街頭などを歩いた場合、その物品と携帯用物入れとのミスマッチさや封入方法の意外性が人目を引くのはもとより、特に、遊び心が必要とされるインフォーマルなパーティーや行楽の場へ携行する携帯用物入れとしては、話題を提供できて有効であると考えられる。また、子供用としてはかわいさを強調演出できる効果を期待できる。
【発明を実施するための最良の形態】
【００１０】  ２枚のシート材が重ねあわされ、該２枚のシート材の間に小物物品を少なくとも一つ以上、分散して封入格納できるように余裕を持った配置構造であって、かつ、少なくとも一方の側のシート材を、重ねあわされた前記２枚のシート材の中間側を透視することができる素材とし、前記２枚のシート材の相対する部分の少なくとも任意の１つの領域を囲むように、相互に帯状に結合し、該結合された部分で囲まれた該２枚のシート間にできる空間に、小物物品が封入格納されている状態の構成品を装飾手段として用いるための装飾品である。【００１１】  また、２枚のシート材が重ねあわされ、該２枚のシート材の間に小物物品を少なくとも一つ以上、分散して封入格納できるように余裕を持った配置構造であって、かつ、少なくとも一方の側のシート材を、重ねあわされたシート材の中間側を透視することができる素材とし、前記２枚のシート材の相対する部分を碁盤の目状位置で相互に帯状に結合し、該結合された部分で囲まれた該２枚のシート間にできる複数の空間それぞれに、小物物品が封入格納されている状態の構成品を装飾手段として用いた携帯用物入れである。【００１２】あるいは、内部を透視できるチューブに小物物品が複数個数珠繋ぎ状に封入格納されている状態の構成品を装飾手段として用いた携帯用物入れである。【００１３】  さらに、封入格納する小物物品が温度特性、耐候性、経時的な耐久性の安定した物品で、なおかつ実物が小物の場合は実物を、さもない場合はイミテーション品あるいはレプリカ品あるいは縮小レプリカ品とした構成品を装飾手段として用いた携帯用物入れである。
【実施例】
【００１４】  以下の説明においては、便宜上、携帯用物入れに関して説明を進めるが、本発明は携帯用物入れを始めとし、被服やベルトなどの身の回り品や小物類（アクセサリー、手帳カバー、財布、小銭入れ、携帯ストラップなど）にも適用されることを述べておく。
【実施例１】
【００１５】  本発明の第１の実施例は、図１に示すように、不透明なシート材と透明なシート材を、２枚のシート材の間に小物物品を封入格納できるように余裕を持って重ねあわせ、碁盤の目状に相互に熱溶着してできた２枚のシート間にできる方形の空間それぞれに、あらかじめ配置されていたイミテーションのキャンディーが封入格納されてできた装飾用品であり、その一部の区分周辺の斜視図を図２ａに、その断面図を図２ｂにて示してある。
【実施例２】
【００１６】  本発明の第２の実施例は、図３に示すように、黒地素材でできたハンドバッグの両側面（図面では片側のみが見えている）に、外部より方形の透明シート材を、２枚のシート材の間に小物物品を封入格納できるように余裕を持って重ね合わせ、該黒地素材と該透明シート材とを碁盤の目状に熱溶着した構造で、該ハンドバッグの側面の素材と透明シート材とでできる複数の方形の熱溶着部に囲まれた空間それぞれに、あらかじめ配置されたイミテーションのキャンディーが封入格納されているハンドバッグである。
【実施例３】
【００１７】  本発明の第３の実施例は、図４に示すように、黒地素材でできた帯状の素材に帯状の透明シート材を、２枚のシート材の間に小物物品を封入格納できるように余裕を持って重ねあわせ、該２枚の帯状のシート材の両縁を熱溶着すると共に、該帯状のシート材の長手方向に略等間隔に熱溶着したものにおいて、該２枚の帯状のシート材の間にできる１列に並んだ方形の熱溶着部に囲まれた空間それぞれに、あらかじめ配置されたイミテーションのキャンディーが封入格納されたものが、手提げ袋の側面から持ち手を兼ねて連続体として取り付けられている手提げ袋である。
【実施例４】
【００１８】  本発明の第４の実施例は、図５に示すように、透明なチューブ材に複数個のイミテーションのキャンディーが複数個数珠繋ぎ状に封入格納されたものがハンドバッグの稜線部ならびに持ち手として固着されているハンドバッグである。【００１９】  尚、前記に述べた２枚のシート材の結合手段は熱溶着、熱融着、接着、縫着、圧着をはじめとして、シート材を相互に固着できるものであれば、前期結合手段に限定されるものではなく、また、該結合方法は連続的なものに限定されるものでなく、断続的であってもよく、さらに、該結合の幅は限定されたものではなく、さらには単線状あるいは複線状であってもよい。【００２０】  また、封入物品としては、キャンディーを始めとする菓子、果物、野菜、魚、花、貝殻、昆虫、動物、自動車、人形その他のフィギュア類などが考えられるが、興味の対象となるものであれば、前期物品に限定されるものではない。【００２１】  尚、前記説明においては、小物物品の封入格納部の形状を碁盤の目状としたが、各単位の形状は方形に限らず、多角形、円形あるいはそれらの変形した形状、ハート形、星形など、前期形状に限定されるものではない。【００２２】  また、封入格納部が複数の場合においては、封入格納部が相互に隣接して配置されたものに限らず、分散配置されていてもよい。【００２３】  さらに、封入格納部が複数の場合においては、封入格納部は全体が同一の形状のものに限らず、複数の形状のものが混在していてもよい。【００２４】  さらに、封入格納部が複数の場合においては、封入格納部の配置形態は、平面的に配置されたものに限らず、帯状即ち直線状あるいは曲線状あるいはジグザグ状に配置されていてもよい。【００２５】  また、前記封入格納部は、携帯用物入れに一体に装着されたものでなくて、着脱自在とした手段を設けて、ＴＰＯにあわせて付け替えることができるようにしてもよい。【００２６】  また、２枚のシート材のうち、携帯用物入れの側に位置するシート材は携帯用物入れを構成する部材であってもよい。【００２７】  また、前記封入格納部の表面側の内部を透視することができる素材は、着色、非着色を問わない。【００２８】  また、前記封入格納部を構成する２枚のシート材のうち、透明なシート材は表面側に限らず、２枚共透明素材としてもよく、携帯用物入れの内部が見える状態であってもよい。【００２９】  さらに、装飾を施す部位は携帯用物入れの側面に限らず、端面や持ち手、ストラップ部あるいは携帯用物入れの稜線部にあってもよく、また、１ヶ所に限らず、複数箇所に分散して配置されていてもよい。【００３０】  また、前記チューブに小物部品を封入格納した場合は、チューブを長手方向に略等間隔に区分された該区分それぞれに、小物部品が封入格納されて形成されたものであってもよい。【００３１】  また、前記小物部品の封入格納方法は通常は一つの区分に１ヶを考えるが、かならずしも１ヶに限定されるものではない。【００３２】  尚、前記に述べた装飾手段は、携帯用物入れに限らず、被服のワンポイントアクセサリーやエンブレムとして、あるいは装飾ベルトとして、あるいは身の回りの小物類などに応用できることは言うまでもない。【００３３】  本発明は勿論の���とながら上記に述べた範囲に限らず、種々の変形応用が可能であり、本発明の趣旨を逸脱しない範囲を含むことは言うまでもない。
【図面の簡単な説明】
【００３４】
【図１】本発明の第１実施例の装飾品
【図２】〔図２ａ〕一つの区分周辺の斜視図  〔図２ｂ〕図２ａのＡ−Ａ’断面図
【図３】本発明の第２実施例のハンドバッグ
【図４】本発明の第３実施例の手提げ袋
【図５】本発明の第４実施例のハンドバッグ
【符号の説明】
【００３５】１  実施例１の黒色シート材と透明シート材の間にできた空間にイミテーションのキャンディーを封入格納した装飾品
２  イミテーションのキャンディー
３  黒色シート材
４  透明シート材
５  黒色シート材と透明シート材の帯状結合部
６  実施例２のハンドバッグ
７  ハンドバッグの側面
８  実施例３の手提げ袋
９  帯状に形成された装飾手段による手提げ袋の持ち手
１０  実施例４のハンドバッグ
１１  透明チューブに形成された装飾手段によるハンドバッグの持ち手
１２  透明チューブに形成されたハンドバッグ稜線部の装飾手段
【図１】
2006320662.tif 000003
【図２】
2006320662.tif 000004
【図３】
2006320662.tif 000005
【図４】
2006320662.tif 000006
【図５】
2006320662.tif 000007